【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
（ａ）式（Ｉ）：
【化１】
2017078156.tif 000001
（式中、Ａは、
【化２】
2017078156.tif 000002
であり、
それぞれのＲ1は、同一か又は異なり、独立して、アルキル、アルケニル、シクロアルキル、シクロアルキルアルキル、アリール、及びアラルキルから選択され、ここでかかるアリール及びアラルキルは、場合によってはそれぞれ独立してアルキル及びアルケニルから選択される１〜３つの置換基で置換されており；
それぞれのＲ2及びＲ3は、独立して、Ｈ、アルキル、アルケニル、シクロアルキル、及びシクロアルキルアルキルから選択され；
Ｙは、アルキル、アルコキシアルキル、ベンジル、及び−Ｒ4−Ｒ5−Ｒ6からなる群から選択され；
Ｒ4はアルキレンであり；
Ｒ5は、結合、アルキレン、−Ｃ（Ｏ）−、及び−Ｃ（Ｒ7）−からなる群から選択され；
Ｒ6は、アルキル、ヒドロキシアルキル、ヒドロキシアルキレンオキシ、ヒドロキシ、及びアルコキシからなる群から選択され；
Ｒ7はヒドロキシであり；
ｍは２〜８の整数であり；
Ｘ1はＲ8又はＺであり；
Ｘ2は、Ｒ8、
【化３】
2017078156.tif 000003
からなる群から選択され；
Ｒ8は、アルキル、アルケニル、シクロアルキル、シクロアルキルアルキル、アリール、及びアラルキルであり、ここでかかるアリール及びアラルキルは、場合によってはそれぞれ独立してアルキル及びアルケニルから選択される１〜３つの置換基で置換されており；
Ｚは、
【化４】
2017078156.tif 000004
であり；
Ｘ2がＲ8である場合には、Ｘ1はＺである）
の化合物又はその摩擦学的に許容しうる塩。
【請求項２】
それぞれのＲ1は、同一か又は異なり、独立して、Ｃ1〜Ｃ30アルキル、Ｃ1〜Ｃ30アルケニル、シクロアルキル、シクロアルキルアルキル、アリール、及びアラルキルから選択され、ここで前記アリール及びアラルキルは、場合によってはそれぞれ独立してＣ１〜Ｃ１０アルキル及びＣ1〜Ｃ10アルケニルから選択される１〜３の置換基で置換されている、請求項１に記載の化合物。
【請求項３】
それぞれのＲ1は、同一か又は異なり、独立してＣ3〜Ｃ10アルキルである請求項２に記載の化合物。
【請求項４】
ｍは２である請求項１に記載の化合物。
【請求項５】
Ａのそれぞれの場合に関して、それぞれのＲ2及びＲ3は、独立してＨ及びＣ１〜Ｃ１０アルキルから選択される請求項１に記載の化合物。
【請求項６】
Ａのそれぞれの場合に関して、１つのＲ2はアルキルであり、Ｒ2及びＲ3の残りはＨである請求項５に記載の化合物。
【請求項７】
Ｒ2はＣ1〜Ｃ10アルキルである請求項６に記載の化合物。
【請求項８】
Ｘ2は、
【化５】
2017078156.tif 000005
である、請求項１に記載の化合物。
【請求項９】
Ｘ2は、Ｒ8である、請求項１に記載の化合物。
【請求項１０】
Ｙは、−Ｒ4−Ｒ5−Ｒ6である請求項１に記載の化合物。
【請求項１１】
Ｒ4はアルキレンであり、Ｒ5は−Ｃ（Ｏ）−であり、かつＲ6はヒドロキシまたはアルコキシである、請求項１０に記載の化合物。
【請求項１２】
Ｒ8はＣ1〜Ｃ10アルキルである請求項１に記載の化合物。
【請求項１３】
化合物は、式（Ｉａ）：
【化６】
2017078156.tif 000006
（式中、
それぞれのＲ1は、同一か又は異なり、独立して、アルキル、アルケニル、シクロアルキル、シクロアルキルアルキル、アリール、及びアラルキルから選択され、ここでかかるアリール及びアラルキルは、場合によってはそれぞれ独立してアルキル及びアルケニルから選択される１〜３つの置換基で置換されており；
それぞれのＲ2は、独立して、アルキル、アルケニル、シクロアルキル、及びシクロアルキルアルキルから選択され；
Ｙは、アルキル、アルコキシアルキル、ベンジル、及び−Ｒ4−Ｒ5−Ｒ6からなる群から選択され；
Ｒ4はアルキレンであり；
Ｒ5は、結合、アルキレン、−Ｃ（Ｏ）−、及び−Ｃ（Ｒ7）−からなる群から選択され；
Ｒ6は、アルキル、ヒドロキシアルキル、ヒドロキシアルキレンオキシ、ヒドロキシ、及びアルコキシからなる群から選択され；
Ｒ7はヒドロキシであり；
Ｘ2は、Ｒ8、
【化７】
2017078156.tif 000007
からなる群から選択され；
Ｒ8は、アルキル、アルケニル、シクロアルキル、シクロアルキルアルキル、アリール、及びアラルキルであり、ここでかかるアリール及びアラルキルは、場合によってはそれぞれ独立してアルキル及びアルケニルから選択される１〜３つの置換基で置換されており；
Ｚは
【化８】
2017078156.tif 000008
である）
の化合物又はその摩擦学的に許容しうる塩である、請求項１に記載の化合物。
【請求項１４】
それぞれのＲ1は、同一か又は異なり、独立してＣ3〜Ｃ10アルキルである請求項１３に記載の化合物。
【請求項１５】
それぞれのＲ2は、同一か又は異なり、独立してＣ1〜Ｃ10アルキルである請求項１３に記載の化合物。
【請求項１６】
Ｘ2は、Ｒ8または
【化９】
2017078156.tif 000009
である、請求項１３に記載の化合物。
【請求項１７】
Ｒ8は、Ｃ3〜Ｃ10アルキルである請求項１３に記載の化合物。
【請求項１８】
それぞれのＲ1は、同一である請求項１４に記載の化合物。
【請求項１９】
それぞれのＲ2は、同一である請求項１５に記載の化合物。
【請求項２０】
Ｙは、−Ｒ4−Ｒ5−Ｒ6である請求項１３に記載の化合物。
【請求項２１】
Ｒ4はアルキレンであり、Ｒ5は−Ｃ（Ｏ）−であり、かつＲ6はヒドロキシまたはアルコキシである、請求項２０に記載の化合物。
【請求項２２】
下記から選択される、請求項１に記載の化合物。
【化１０】
2017078156.tif 000010
【化１１】
2017078156.tif 000011
【化１２】
2017078156.tif 000012
【化１３】
2017078156.tif 000013
【請求項２３】
請求項１に記載の化合物を含む潤滑油添加剤組成物。
【請求項２４】
潤滑油添加剤組成物は、酸化防止剤、耐摩耗剤、腐食抑制剤、洗浄剤、極圧添加剤、分散剤、粘度指数向上剤、及び摩擦調整剤からなる群から選択される１種類以上の添加剤成分を更に含む、請求項２３に記載の潤滑油添加剤組成物。
【請求項２５】
（ａ）基油；及び
（ｂ）請求項１に記載の化合物；
を含み、基油が組成物の主要量である、潤滑油組成物。
【請求項２６】
潤滑油組成物は、酸化防止剤、耐摩耗剤、腐食抑制剤、洗浄剤、極圧添加剤、分散剤、粘度指数向上剤、及び摩擦調整剤からなる群から選択される１種類以上の添加剤成分を更に含む、請求項２５に記載の潤滑油組成物。
【請求項２７】
前記化合物は、潤滑油組成物の全重量を基準として約０．０１０重量％〜約５重量％の量で存在する、請求項２６に記載の潤滑油組成物。
【請求項２８】
洗浄剤及び請求項１、１３または１６に記載の化合物を含み；
洗浄剤はスルホネート又はフェネートを含む潤滑油添加剤組成物。
【請求項２９】
スルホネートは、スルホン酸カルシウム及びスルホン酸マグネシウムから選択され、フェネートは、カルシウムフェネート及びマグネシウムフェネートから選択される、請求項２８に記載の潤滑油添加剤組成物。
【請求項３０】
式（Ｉ）の化合物は、式（Ｉｂ）：
【化１４】
2017078156.tif 000014
（式中、
それぞれのＲ1は、同一か又は異なり、独立して、アルキル、アルケニル、シクロアルキル、及びシクロアルキルアルキルから選択され；
それぞれのＲ2は独立してアルキルであり；
Ｙは、アルキル、アルコキシアルキル、ベンジル、及び−Ｒ4−Ｒ5−Ｒ6からなる群から選択され；
Ｒ4はアルキレンであり；
Ｒ5は、結合、アルキレン、及び−Ｃ（Ｏ）−からなる群から選択され；
Ｒ6は、アルキル、ヒドロキシアルキル、ヒドロキシアルキレンオキシ、ヒドロキシ、及びアルコキシからなる群から選択され；
Ｒ8は、アルキル、アルケニル、シクロアルキル、又はシクロアルキルアルキルである）
の化合物又はその摩擦学的に許容しうる塩である、請求項２８に記載の潤滑油添加剤組成物。
【請求項３１】
式（Ｉ）の化合物は、式（Ｉｃ）：
【化１５】
2017078156.tif 000015
（式中、
それぞれのＲ1は、同一か又は異なり、独立して、アルキル、アルケニル、シクロアルキル、及びシクロアルキルアルキルから選択され；
それぞれのＲ2は独立してアルキルであり；
Ｙは、アルキル、アルコキシアルキル、ベンジル、及び−Ｒ4−Ｒ5−Ｒ6からなる群から選択され；
Ｒ4はアルキレンであり；
Ｒ5は、結合、アルキレン、及び−Ｃ（Ｏ）−からなる群から選択され；
Ｒ6は、アルキル、ヒドロキシアルキル、ヒドロキシアルキレンオキシ、ヒドロキシ、及びアルコキシからなる群から選択され；
Ｘ2は
【化１６】
2017078156.tif 000016
であり、
Ｚは
【化１７】
2017078156.tif 000017
である）
の化合物又はその摩擦学的に許容しうる塩である、請求項２８に記載の潤滑油添加剤組成物。
【請求項３２】
化合物は、
【化１８】
2017078156.tif 000018
【化１９】
2017078156.tif 000019
【化２０】
2017078156.tif 000020
【化２１】
2017078156.tif 000021
から選択される、請求項２８に記載の潤滑油添加剤組成物。
【請求項３３】
化合物は、
【化２２】
2017078156.tif 000022
【化２３】
2017078156.tif 000023
から選択される、請求項２８に記載の潤滑油添加剤組成物。
【請求項３４】
化合物は、
【化２４】
2017078156.tif 000024
【化２５】
2017078156.tif 000025
から選択される、請求項２８に記載の潤滑油添加剤組成物。
【請求項３５】
洗浄剤は、スルホン酸マグネシウム洗浄剤及びカルシウムフェネート洗浄剤から選択される、請求項２８に記載の潤滑油添加剤組成物。
【請求項３６】
洗浄剤は、過塩基化スルホン酸マグネシウム洗浄剤である、請求項３５に記載の潤滑油添加剤組成物。
【請求項３７】
洗浄剤は、過塩基化カルシウムフェネート洗浄剤である、請求項３５に記載の潤滑油添加剤組成物。
【請求項３８】
洗浄剤は、過塩基化スルホン酸カルシウム洗浄剤及び中性スルホン酸カルシウム洗浄剤から選択される、請求項２８に記載の潤滑油添加剤組成物。
【請求項３９】
潤滑油添加剤組成物は、酸化防止剤、耐摩耗剤、腐食抑制剤、極圧添加剤、分散剤、粘度指数向上剤、及び摩擦調整剤からなる群から選択される１種類以上の添加剤成分を更に含む、請求項２８に記載の潤滑油添加剤組成物。
【請求項４０】
極圧添加剤は、有機ポリスルフィドである、請求項３９に記載の潤滑油添加剤組成物。
【請求項４１】
ポリスルフィドは、Ｓ３−富化有機ポリスルフィドである、請求項４０に記載の潤滑油添加剤組成物。
【請求項４２】
摩擦学的に許容しうる塩がアミン塩ではない、請求項２８に記載の潤滑油添加剤組成物。
【請求項４３】
（ａ）請求項１に記載の式（Ｉ）の化合物であって、
（ｉ）第１のホスホロジチオエート化剤を第１のエポキシドと反応させ；
（ｉｉ）工程（ｉ）の生成物を第２のホスホロジチオエート化剤と反応させ；
（ｉｉｉ）工程（ｉｉ）の生成物を第２のエポキシドと反応させ；
（ｉｖ）工程（ｉｉｉ）の生成物を第３のホスホロジチオエート化剤と反応させ；そして
（ｖ）工程（ｉｖ）の生成物を反応性基と反応させる；
ことを含む方法によって製造される化合物；及び
（ｂ）洗浄剤；
を含み；
洗浄剤はスルホネート又はフェネートを含む潤滑油添加剤組成物。
【請求項４４】
スルホネートは、スルホン酸カルシウム及びスルホン酸マグネシウムから選択され、フェネートは、カルシウムフェネート及びマグネシウムフェネートから選択される、請求項４３に記載の潤滑油添加剤組成物。
【請求項４５】
（ａ）主要量の基油、又はそれから製造されるグリース；及び
（ｂ）少量の請求項２８に記載の潤滑油添加剤組成物；
を含む潤滑油組成物。
【請求項４６】
潤滑油添加剤組成物は、潤滑油組成物の全重量を基準として約０．０１０重量％〜約４０重量％の量で存在する、請求項４５に記載の潤滑油組成物。
【請求項４７】
潤滑油添加剤組成物は、潤滑油組成物の全重量を基準として約１．００重量％〜約１５．０重量％の量で存在する、請求項４６に記載の潤滑油組成物。
【請求項４８】
エラストマーシールを有効量の請求項４５に記載の潤滑油組成物と接触させることを含む、潤滑又は機能性流体組成物と接触するエラストマーシールの機能寿命を延長する方法。
【請求項４９】
エラストマーシールは、ニトリルシール、ポリアクリレートシール、シリコーンシール、エチレンアクリルシール、及びフルオロエラストマーシールからなる群から選択される、請求項４８に記載の方法。
【請求項５０】
エラストマーシールは、ニトリルシール又はフルオロエラストマーシールである、請求項４９に記載の方法。
【請求項５１】
エラストマーシールは、機械システムの部品であり、機械システムは、ギアシステム、車軸システム、差動システム、燃焼エンジンシステム、クランクシャフトシステム、変速機システム、クラッチシステム、油圧システム、摺動システム、及びタービンシステムから選択される、請求項４８に記載の方法。
【請求項５２】
請求項２５または４５に記載の潤滑油組成物で金属表面を潤滑することを含む、金属移動面を潤滑する方法。
【請求項５３】
金属表面は、機械部品である、請求項５２に記載の方法。
【請求項５４】
機械部品は、ギア、車軸、差動装置、エンジン、クランクシャフト、変速機、クラッチ、油圧装置、摺動装置、及びタービンの１以上から選択される、請求項５３に記載の方法。
【請求項５５】
（ａ）主要量の基油、又はそれから製造されるグリース；及び
（ｂ）少量の請求項１に記載の化合物；
を含む潤滑油組成物を用いて機械部品を潤滑することを含む機械部品の金属移動面の間の摩耗を低減する方法。